(57)【要約】【課題】ＩＰ放送の配信サーバが配信するチャンネル情報を、受信端末にサービス案内として提供するサービス案内サーバを提供する。【解決手段】サービス案内サーバ１は、チャンネル情報の検索条件と配信サーバ３のアドレスとを対応付けて記憶するアドレス記憶手段１２と、配信サーバ３のアドレスとチャンネル情報とを対応付けて記憶するプレゼンス情報記憶手段１４と、受信端末４から、検索条件を受信する要求受信手段１１ａと、検索条件に基づいて、アドレス記憶手段１２から、チャンネル情報配信装置のアドレスを検索するアドレス検索手段１３と、検索されたアドレスに基づいて、プレゼンス情報記憶手段１４から、チャンネル情報を検索するプレゼンス情報検索手段１５と、検索されたチャンネル情報を受信端末４に通知する通知送信手段１１ｄと、を備えることを特徴とする。【選択図】図２
2008252853.tif 000002
【特許請求の範囲】
【請求項１】
ＩＰ放送のチャンネル情報配信装置が配信するチャンネルのチャンネル情報を、ネットワークに接続された受信端末にサービス案内として提供するサービス案内提供装置であって、
前記チャンネル情報の検索条件となる検索情報と前記チャンネル情報配信装置のネットワークアドレスとを対応付けて記憶するアドレス記憶手段と、
前記チャンネル情報配信装置のネットワークアドレスと前記チャンネル情報とを対応付けて記憶するプレゼンス情報記憶手段と、
前記受信端末から、前記ネットワークを介して、前記チャンネル情報の要求として、前記検索情報を受信する要求受信手段と、
この要求受信手段で受信した検索情報に基づいて、前記アドレス記憶手段から、当該検索情報で示される検索条件に該当するチャンネル情報配信装置のネットワークアドレスを検索するアドレス検索手段と、
このアドレス検索手段で検索されたネットワークアドレスに基づいて、前記プレゼンス情報記憶手段から、前記チャンネル情報を検索するプレゼンス情報検索手段と、
このプレゼンス情報検索手段で検索されたチャンネル情報を、前記ネットワークを介して、前記受信端末に通知する通知送信手段と、
を備えることを特徴とするサービス案内提供装置。
【請求項２】
前記ネットワークを介して、前記チャンネル情報配信装置から前記チャンネル情報を取得し、前記プレゼンス情報記憶手段に記憶するプレゼンス情報取得手段をさらに備え、
前記プレゼンス情報検索手段で前記チャンネル情報を検索できなかった場合に、前記プレゼンス情報取得手段が、前記チャンネル情報配信装置から前記チャンネル情報を取得することを特徴とする請求項１に記載のサービス案内提供装置。
【請求項３】
前記検索情報として、前記受信端末の位置情報、属性情報、又は、前記ネットワークの接続網情報の少なくとも１つを用いることを特徴とする請求項１又は請求項２に記載のサービス案内提供装置。
【請求項４】
予め設定された配信間隔でマルチキャスト配信されるチャンネル情報を含んだマルチキャスト情報を受信するマルチキャスト情報受信手段と、
前記マルチキャスト情報から、前記プレゼンス情報記憶手段に記憶されているチャンネル情報へフォーマット変換するための変換テーブルを記憶した変換テーブル記憶手段と、
前記マルチキャスト受信手段で受信したマルチキャスト情報を、前記変換テーブルに基づいて、前記チャンネル情報に変換し、前記プレゼンス情報記憶手段に記憶する情報変換手段と、
をさらに備えることを特徴とする請求項１から請求項３のいずれか一項に記載のサービス案内提供装置。
【請求項５】
ＩＰ放送のチャンネル情報配信装置が配信するチャンネルのチャンネル情報を、ネットワークに接続された受信端末にサービス案内として提供するために、サービス案内提供装置のコンピュータを、
前記受信端末から、前記ネットワークを介して、前記チャンネル情報の要求として、前記チャンネル情報の検索条件となる検索情報を受信する要求受信手段、
この要求受信手段で受信した検索情報に基づいて、前記検索情報と前記チャンネル情報配信装置のネットワークアドレスとを対応付けて記憶するアドレス記憶手段から、当該検索情報で示される検索条件に該当するチャンネル情報配信装置のネットワークアドレスを検索するアドレス検索手段、
このアドレス検索手段で検索されたネットワークアドレスに基づいて、前記チャンネル情報配信装置のネットワークアドレスと前記チャンネル情報とを対応付けて記憶するプレゼンス情報記憶手段から、前記チャンネル情報を検索するプレゼンス情報検索手段、
このプレゼンス情報検索手段で検索されたチャンネル情報を、前記ネットワークを介して、前記受信端末に通知する通知送信手段、
として機能させることを特徴とするサービス案内提供プログラム。
【請求項６】
ＩＰ通信装置の状態を示すプレゼンス情報を、ネットワークに接続された受信端末にサービス案内として提供するサービス案内提供装置であって、
前記プレゼンス情報の検索条件となる検索情報と前記ＩＰ通信装置のネットワークアドレスとを対応付けて記憶するアドレス記憶手段と、
前記ＩＰ通信装置のネットワークアドレスと前記プレゼンス情報とを対応付けて記憶するプレゼンス情報記憶手段と、
前記受信端末から、前記ネットワークを介して、前記プレゼンス情報の要求として、前記検索情報を受信する要求受信手段と、
この要求受信手段で受信した検索情報に基づいて、前記アドレス記憶手段から、当該検索情報で示される検索条件に該当する前記ＩＰ通信装置のネットワークアドレスを検索するアドレス検索手段と、
このアドレス検索手段で検索されたネットワークアドレスに基づいて、前記プレゼンス情報記憶手段から前記プレゼンス情報を検索するプレゼンス情報検索手段と、
このプレゼンス情報検索手段で検索されたプレゼンス情報を、前記ネットワークを介して、前記受信端末に通知する通知送信手段と、
を備えることを特徴とするサービス案内提供装置。
【請求項７】
前記ネットワークを介して、前記ＩＰ通信装置から前記プレゼンス情報を取得し、前記プレゼンス情報記憶手段に記憶するプレゼンス情報取得手段をさらに備えることを特徴とする請求項６に記載のサービス案内提供装置。
【請求項８】
ＩＰ通信装置の状態を示すプレゼンス情報を、ネットワークに接続された受信端末にサービス案内として提供するために、サービス案内提供装置のコンピュータを、
前記受信端末から、前記ネットワークを介して、前記プレゼンス情報の要求として、前記プレゼンス情報の検索条件となる検索情報を受信する要求受信手段、
この要求受信手段で受信した検索情報に基づいて、前記検索情報と前記ＩＰ通信装置のネットワークアドレスとを対応付けて記憶するアドレス記憶手段から、当該検索情報で示される検索条件に該当するＩＰ通信装置のネットワークアドレスを検索するアドレス検索手段、
このアドレス検索手段で検索されたネットワークアドレスに基づいて、前記ＩＰ通信装置のネットワークアドレスと前記プレゼンス情報とを対応付けて記憶するプレゼンス情報記憶手段から、前記プレゼンス情報を検索するプレゼンス情報検索手段、
このプレゼンス情報検索手段で検索されたプレゼンス情報を、前記ネットワークを介して、前記受信端末に通知する通知送信手段、
として機能させることを特徴とするサービス案内提供プログラム。
【発明の詳細な説明】
【技術分野】
【０００１】
本発明は、ネットワークを介して、ＩＰ通信装置の状態を示すプレゼンス情報をＩＰ放送のサービス案内として提供するサービス案内提供装置及びそのプログラムに関する。
【背景技術】
【０００２】
近年、放送局やコンテンツ配信事業者（プロバイダ）が、ネットワークを介してコンテンツ（放送番組等）を配信し、ユーザが、受信端末によって受信したコンテンツを視聴することができるシステムが実現されている。このようなシステムにおいて、現在受信可能なコンテンツをユーザ側に配信するサービスを提供する技術が開示されている（例えば、特許文献１参照）。
【０００３】
この特許文献１に開示されている技術によれば、インターネットに接続された無線基地局と、無線基地局と通信する携帯電話機と、コンテンツ配信事業者から配信されるコンテンツ（テレビ放送番組）を携帯電話機からの指示に基づいて受信する受信端末（テレビジョン受像機）と、インターネットに接続されたユーザ識別情報を保有するサーバとを備えて、システムを構成している。このシステムでは、携帯電話機が、チャンネル番号、現在位置及びユーザ識別情報を含む番組関連情報取得要求を無線基地局経由でサーバに送信することで、サーバが、受信端末で受信できる番組関連情報を携帯電話に配信している。
【０００４】
一方、ＩＰ（Ｉｎｔｅｒｎｅｔ  Ｐｒｏｔｏｃｏｌ）ネットワークにおいて、通信先相手（例えば、ＩＰ電話等）の現在の状態（例えば、「会議中」、「外出中」等）を通知するサービスとして、ＳＩＰ（Ｓｅｓｓｉｏｎ  Ｉｎｉｔｉａｔｉｏｎ  Ｐｒｏｔｏｃｏｌ）プレゼンス技術が、一般的に知られている（例えば、非特許文献１参照）。
【０００５】
このＳＩＰプレゼンス技術によれば、ＳＩＰプレゼンスサーバに予め各端末（ＩＰ電話等）が状態を登録しておく。そして、ある端末は、相手先の端末を特定する識別子であるＵＲＩ（Ｕｎｉｆｏｒｍ  Ｒｅｓｏｕｒｃｅ  Ｉｄｅｎｔｉｆｉｅｒ）を指定した問い合わせをＳＩＰプレゼンスサーバに対して行うことで、ＳＩＰプレゼンスサーバから、相手先の端末の状態（プレゼンス情報）を取得する。なお、このプレゼンス情報は、任意に定義することができるため、種々のサービスとして利用することができる。
【特許文献１】特開２００３−１６９３５２号公報
【非特許文献１】ＲＦＣ３２６１“Ｓｅｓｓｉｏｎ  Ｉｎｉｔｉａｌ  Ｐｒｏｔｏｃｏｌ”
【発明の開示】
【発明が解決しようとする課題】
【０００６】
しかし、前記した特許文献１に記載の技術では、サーバは、テレビジョン受像機で選択されたチャンネルに対応する番組関連情報を配信するだけである。このため、例えば、テレビ放送がネットワークを介して配信されるような環境においては、ユーザが、テレビ放送を受信可能な携帯端末を他の地域に移動した場合、移動先でどのようなチャンネルを受信できるか分からなければ、要求を送信することもできず、番組関連情報を取得することができないという問題がある。
また、特許文献１に記載の技術では、サーバが１台の構成を前提としている。このため、番組関連情報を配信するサーバを複数分散させて運用しようとすると、ユーザが、番組関連情報を取得可能なサーバを意識して、そのサーバに対して番組関連情報取得要求を送信しなければならず、ユーザにとっては、使い勝手が悪いという問題がある。
【０００７】
また、ＳＩＰプレゼンス技術では、ある端末等のサービス状態をＳＩＰプレゼンスサーバに問い合わせる場合、相手先となる端末のＵＲＩを特定する必要がある。この場合、例えば、ＳＩＰプレゼンス技術をＩＰ放送サービスに適用して、コンテンツ配信元がＳＩＰプレゼンスサーバに状態（プレゼンス）を登録しても、コンテンツを受信する受信端末においては、コンテンツ配信元のＵＲＩを指定してサービスの提供を受けなければならない。そのため、受信端末では、ＵＲＩが既知のコンテンツ配信元からしかサービスの提供を受けることができないという問題がある。この場合、受信端末を他の地域に移動した場合、例えば、その地域でＩＰ放送としてどのようなコンテンツが配信されているか等のサービス（チャンネル情報）を取得することができないという問題がある。
【０００８】
本発明は、以上のような課題を解決するためになされたものであり、ネットワークを介して、複数のサービス提供元の状態（プレゼンス情報）をサービス案内として提供することができるサービス案内提供装置及びそのプログラムを提供することを目的とする。
【課題を解決するための手段】
【０００９】
本発明は、前記目的を達成するために創案されたものであり、まず、請求項１に記載のサービス案内提供装置は、ＩＰ放送のチャンネル情報配信装置が配信するチャンネルの配信状態を示すチャンネル情報を、ネットワークに接続された受信端末にサービス案内として提供するサービス案内提供装置であって、アドレス記憶手段と、プレゼンス情報記憶手段と、要求受信手段と、アドレス検索手段と、プレゼンス情報検索手段と、通知送信手段と、を備える構成とした。
【００１０】
かかる構成において、サービス案内提供装置は、アドレス記憶手段にチャンネル情報の検索条件となる検索情報とチャンネル情報配信装置のネットワークアドレスとを対応付けて記憶しておく。ここでチャンネル情報とは、ＩＰ放送を受信するために必要となる情報であって、例えば、ＩＰ放送のチャンネル情報を配信するプロバイダ側のチャンネル情報配信装置のＩＰアドレス、ポート番号、放送局名等である。また、検索情報は、受信端末がチャンネル情報を取得する際の検索条件を示す情報であって、例えば、受信端末の位置する地域、端末属性、あるいは、接続しているネットワークの接続網情報等の端末属性である。また、ネットワークアドレスは、ドメイン名、ＩＰアドレス等のネットワークにおいて固有の情報であって、ＳＩＰ−ＵＲＩ、プレゼンスＵＲＩ等であってもよい。
【００１１】
ここで、アドレス記憶手段には、検索情報とチャンネル情報配信装置のネットワークアドレスとを対応付けて記憶しておくことで、検索条件に合致するチャンネル情報配信装置のネットワークアドレスを検索することが可能になる。また、サービス案内提供装置は、プレゼンス情報記憶手段にチャンネル情報配信装置のネットワークアドレスとチャンネル情報とを対応付けて記憶しておく。これによって、チャンネル情報配信装置のネットワークアドレスから、各チャンネル情報配信装置のチャンネル情報を検索することが可能になる。
【００１２】
そして、サービス案内提供装置は、要求受信手段によって、受信端末から、ネットワークを介して、チャンネル情報の要求として検索情報を受信する。これによって、サービス案内提供装置は、受信端末毎に異なる検索情報を取得することができる。
そして、サービス案内提供装置は、アドレス検索手段によって、要求受信手段で受信した検索情報に基づいて、アドレス記憶手段から、当該検索情報で示される検索条件に該当するチャンネル情報配信装置のネットワークアドレスを検索する。
【００１３】
さらに、サービス案内提供装置は、プレゼンス情報検索手段によって、アドレス検索手段で検索されたネットワークアドレスに基づいて、プレゼンス情報記憶手段からチャンネル情報を検索する。これによって、サービス案内提供装置は、受信端末毎に、ＩＰ放送を受信可能なチャンネル情報配信装置のチャンネル情報を検索することができる。
そして、サービス案内提供装置は、通知送信手段によって、プレゼンス情報検索手段で検索されたチャンネル情報を、ネットワークを介して受信端末に通知する。これによって、サービス案内提供装置は、個々の受信端末の端末属性に応じて、受信端末が受信可能なＩＰ放送のチャンネル情報をサービス案内として提供することができる。
【００１４】
また、請求項２に記載のサービス案内提供装置は、請求項１に記載のサービス案内提供装置において、前記ネットワークを介して、前記チャンネル情報配信装置から前記チャンネル情報を取得し、前記プレゼンス情報記憶手段に記憶するプレゼンス情報取得手段をさらに備え、前記プレゼンス情報検索手段で前記チャンネル情報を検索できなかった場合に、前記プレゼンス情報取得手段が、前記チャンネル情報配信装置から前記チャンネル情報を取得する構成とした。
【００１５】
かかる構成において、サービス案内提供装置は、プレゼンス情報取得手段によって、必要に応じてチャンネル情報配信装置からチャンネル情報を取得する。これによって、予めすべてのチャンネル情報配信装置のチャンネル情報をプレゼンス情報記憶手段に記憶しておく必要がなくなる。
【００１６】
さらに、請求項３に記載のサービス案内提供装置は、請求項１又は請求項２に記載のサービス案内提供装置において、前記検索情報として、前記受信端末の位置情報、属性情報、又は、前記ネットワークの接続網情報の少なくとも１つを用いることを特徴とする。
【００１７】
かかる構成において、サービス案内提供装置は、アドレス検索手段によって、受信端末の位置情報、属性情報、又は、ネットワークの接続網情報の少なくとも１つを検索条件として、チャンネル情報配信装置のネットワークアドレスを検索する。ここで、位置情報とは、受信端末が現在位置している地域、場所を示す情報である。また、属性情報は、受信端末がＩＰ放送を受信する制限となる情報であって、例えば、視聴可能な画面サイズ、解像度等である。また、接続網情報とは、受信端末が接続している網（ネットワーク）のプロバイダや自治体といった事業主、提供者、運用者等を示す情報、ネットワークの回線速度等である。このように、位置情報、属性情報又は接続網情報の少なくとも１つを検索条件とすることで、サービス案内提供装置は、個々の受信端末の属性に適したチャンネル情報を検索することができる。
【００１８】
また、請求項４に記載のサービス案内提供装置は、請求項１から請求項３のいずれか一項に記載のサービス案内提供装置において、マルチキャスト情報受信手段と、変換テーブル記憶手段と、情報変換手段と、をさらに備える構成とした。
【００１９】
かかる構成において、サービス案内提供装置は、予め変換テーブル記憶手段に、マルチキャスト配信されるチャンネル情報を含んだマルチキャスト情報を、プレゼンス情報記憶手段に記憶されているチャンネル情報へフォーマット変換するための変換テーブルを記憶しておく。このフォーマット変換は、例えば、プレゼンス情報記憶手段に記憶されているチャンネル情報が、ＳＩＰで規定されているプレゼンス情報データ形式（ＰＩＤＦ：Ｐｒｅｓｅｎｃｅ  Ｉｎｆｏｒｍａｔｉｏｎ  Ｄａｔａ  Ｆｏｒｍａｔ）で記述されている場合、セッション記述プロトコル（ＳＤＰ：Ｓｅｓｓｉｏｎ  Ｄｅｓｃｒｉｐｔｉｏｎ  Ｐｒｏｔｏｃｏｌ）に基づいて記述されているマルチキャスト情報を、ＰＩＤＦに変換するテーブルである。
【００２０】
そして、サービス案内提供装置は、マルチキャスト情報受信手段によって、予め設定された配信間隔でマルチキャスト配信されるチャンネル情報を含んだマルチキャスト情報を受信する。そして、サービス案内提供装置は、情報変換手段によって、マルチキャスト受信手段で受信したマルチキャスト情報を、変換テーブルに基づいて、チャンネル情報に変換し、プレゼンス情報記憶手段に記憶する。これによって、マルチキャスト配信される情報が、プレゼンス情報記憶手段に記憶されることになり、受信端末がチャンネル情報を要求したタイミングで、マルチキャスト情報を通知することができる。
【００２１】
さらに、請求項５に記載のサービス案内提供プログラムは、ＩＰ放送のチャンネル情報配信装置が配信するチャンネルの配信状態を示すチャンネル情報を、ネットワークに接続された受信端末にサービス案内として提供するために、サービス案内提供装置のコンピュータを、要求受信手段、アドレス検索手段、プレゼンス情報検索手段、通知送信手段、として機能させる構成とした。
【００２２】
かかる構成において、サービス案内提供プログラムは、要求受信手段によって、受信端末から、ネットワークを介して、チャンネル情報の要求として、チャンネル情報の検索条件となる検索情報を受信する。
そして、サービス案内提供プログラムは、アドレス検索手段によって、要求受信手段で受信した検索情報に基づいて、検索情報とチャンネル情報配信装置のネットワークアドレスとを対応付けて記憶するアドレス記憶手段から、当該検索情報で示される検索条件に該当するチャンネル情報配信装置のネットワークアドレスを検索する。
【００２３】
さらに、サービス案内提供プログラムは、プレゼンス情報検索手段によって、アドレス検索手段で検索されたネットワークアドレスに基づいて、チャンネル情報配信装置のネットワークアドレスとチャンネル情報とを対応付けて記憶するプレゼンス情報記憶手段からチャンネル情報を検索する。これによって、サービス案内提供プログラムは、受信端末毎に、ＩＰ放送を受信可能なチャンネル情報配信装置のチャンネル情報を検索することができる。
【００２４】
そして、サービス案内提供プログラムは、通知送信手段によって、プレゼンス情報検索手段で検索されたチャンネル情報を、ネットワークを介して受信端末に通知する。これによって、サービス案内提供プログラムは、個々の受信端末の端末属性に応じて、受信端末が受信可能なＩＰ放送のチャンネル情報をサービス案内として提供することができる。
【００２５】
また、請求項６に記載のサービス案内提供装置は、ＩＰ通信装置の状態を示すプレゼンス情報を、ネットワークに接続された受信端末にサービス案内として提供するサービス案内提供装置であって、アドレス記憶手段と、プレゼンス情報記憶手段と、要求受信手段と、アドレス検索手段と、プレゼンス情報検索手段と、通知送信手段と、を備える構成とした。
【００２６】
かかる構成において、サービス案内提供装置は、アドレス記憶手段にプレゼンス情報の検索条件となる検索情報とＩＰ通信装置のネットワークアドレスとを対応付けて記憶しておく。ここでプレゼンス情報とは、ＩＰ通信装置の状態を示す種々の情報であって、例えば、ＩＰ通信装置のＩＰアドレス、ポート番号、放送局名等の情報である。また、検索情報は、受信端末がプレゼンス情報を取得する際の検索条件を示す情報である。また、ＩＰ通信装置は、インターネットプロトコルに準拠した通信手順により通信を行う装置であって、例えば、ＩＰ電話等である。
ここで、アドレス記憶手段には、検索情報とＩＰ通信装置のネットワークアドレスとを対応付けて記憶しておくことで、検索条件に合致するＩＰ通信装置のネットワークアドレスを検索することが可能になる。
【００２７】
また、サービス案内提供装置は、プレゼンス情報記憶手段にＩＰ通信装置のネットワークアドレスとプレゼンス情報とを対応付けて記憶しておく。これによって、ＩＰ通信装置のネットワークアドレスから、各ＩＰ通信装置のプレゼンス情報を検索することが可能になる。
そして、サービス案内提供装置は、要求受信手段によって、受信端末から、ネットワークを介して、プレゼンス情報の要求として検索情報を受信する。これによって、サービス案内提供装置は、受信端末毎に異なる検索情報を取得することができる。
そして、サービス案内提供装置は、アドレス検索手段によって、要求受信手段で受信した検索情報に基づいて、アドレス記憶手段から、当該検索情報で示される検索条件に該当するＩＰ通信装置のネットワークアドレスを検索する。
【００２８】
さらに、サービス案内提供装置は、プレゼンス情報検索手段によって、アドレス検索手段で検索されたネットワークアドレスに基づいて、プレゼンス情報記憶手段からプレゼンス情報を検索する。これによって、サービス案内提供装置は、受信端末毎に、検索条件に合致したＩＰ通信装置のプレゼンス情報を検索することができる。
そして、サービス案内提供装置は、通知送信手段によって、プレゼンス情報検索手段で検索されたプレゼンス情報を、ネットワークを介して受信端末に通知する。これによって、サービス案内提供装置は、個々の受信端末から通知される検索条件に応じて、ＩＰ通信装置のプレゼンス情報をサービス案内として提供することができる。
【００２９】
さらに、請求項７に記載のサービス案内提供装置は、請求項６に記載のサービス案内提供装置において、プレゼンス情報取得手段をさらに備える構成とした。
【００３０】
かかる構成において、サービス案内提供装置は、プレゼンス情報取得手段によって、ネットワークを介して、ＩＰ通信装置からプレゼンス情報を取得し、プレゼンス情報記憶手段に記憶する。なお、プレゼンス情報の取得は、プレゼンス情報取得手段が各ＩＰ通信装置に対して要求を行うことで行ってもよいし、ＩＰ通信装置が状態の変化によって送信するタイミングで取得することとしてもよい。
【００３１】
また、請求項８に記載のサービス案内提供プログラムは、ＩＰ通信装置の状態を示すプレゼンス情報を、ネットワークに接続された受信端末にサービス案内として提供するために、サービス案内提供装置のコンピュータを、要求受信手段、アドレス検索手段、プレゼンス情報検索手段、通知送信手段、として機能させる構成とした。
【００３２】
かかる構成において、サービス案内提供プログラムは、要求受信手段によって、受信端末から、ネットワークを介して、プレゼンス情報の要求として、プレゼンス情報の検索条件となる検索情報を受信する。
そして、サービス案内提供プログラムは、アドレス検索手段によって、要求受信手段で受信した検索情報に基づいて、検索情報とＩＰ通信装置のネットワークアドレスとを対応付けて記憶するアドレス記憶手段から、当該検索情報で示される検索条件に該当するＩＰ通信装置のネットワークアドレスを検索する。
【００３３】
さらに、サービス案内提供プログラムは、プレゼンス情報検索手段によって、アドレス検索手段で検索されたネットワークアドレスに基づいて、ＩＰ通信装置のネットワークアドレスとプレゼンス情報とを対応付けて記憶するプレゼンス情報記憶手段からプレゼンス情報を検索する。これによって、サービス案内提供プログラムは、受信端末毎に、ＩＰ通信装置のプレゼンス情報を検索することができる。
そして、サービス案内提供プログラムは、通知送信手段によって、プレゼンス情報検索手段で検索されたプレゼンス情報を、ネットワークを介して受信端末に通知する。これによって、サービス案内提供プログラムは、個々の受信端末から通知される検索条件に応じて、ＩＰ通信装置のプレゼンス情報をサービス案内として提供することができる。
【発明の効果】
【００３４】
本発明は、以下に示す優れた効果を奏するものである。
請求項１又は請求項５に記載の発明によれば、複数のＩＰ放送の配信元（サービス提供元）のチャンネルの状態（チャンネル情報）をサービス案内として提供することができる。これによって、受信端末は、ＩＰ放送を受信するためのチャンネル情報を、個々のチャンネル情報配信装置に問い合わせることなく、サービス案内提供装置に問い合わせるだけで取得することができる。また、受信端末は、ＩＰ放送の視聴位置を移動した場合であっても、サービス案内提供装置にチャンネル情報を問い合わせるだけでチャンネル情報を取得することができる。
【００３５】
請求項２に記載の発明によれば、チャンネル情報が記憶されていない場合であっても、最新の情報をチャンネル情報配信装置から取得し、受信端末に提供することができる。また、これによって、常にチャンネル情報を記憶しておく必要がなくなるため、チャンネル情報を記憶する容量を少なくすることができる。
【００３６】
請求項３に記載の発明によれば、受信端末の位置情報、属性情報又は接続網情報の少なくとも１つを検索条件とすることができるため、受信端末が現在位置している場所、受信端末における画面の解像度等の属性、あるいは、接続しているネットワークの回線速度等によって、受信端末が現在視聴可能なＩＰ放送のチャンネル情報をサービス案内として提供することができる。
【００３７】
請求項４に記載の発明によれば、マルチキャスト配信されるマルチキャスト情報を予めチャンネル情報と同一フォーマットで記憶しておくことができるため、受信端末からのチャンネル情報を要求されたタイミングで、マルチキャスト情報も同時に受信端末にサービス案内として提供することができる。これによって、従来、受信端末は、配信元の配信間隔のタイミングでしか取得できなったマルチキャスト情報を、サービス案内提供装置に問い合わせたタイミング取得することができる。
【００３８】
請求項６又は請求項８に記載の発明によれば、複数のＩＰ通信装置のプレゼンス情報をサービス案内として提供することができる。これによって、受信端末は、個々のＩＰ通信装置に対して状態を問い合わせることなく、固定のサービス案内提供装置に問い合わせを行うだけで、検索条件で指定されたＩＰ通信装置のプレゼンス情報を取得することができる。
【００３９】
請求項７に記載の発明によれば、プレゼンス情報が記憶されていない場合であっても、最新の情報をＩＰ通信装置から取得し、受信端末に提供することができる。また、これによって、常にプレゼンス情報を記憶しておく必要がなくなるため、プレゼンス情報を記憶する容量を少なくすることができる。
【発明を実施するための最良の形態】
【００４０】
以下、本発明の実施の形態について図面を参照して説明する。
［ＩＰ放送システムの構成：第１実施形態］
まず、図１を参照して、第１実施形態に係るＩＰ放送システムの構成について説明する。図１は、本発明の第１実施形態に係るＩＰ放送システムの構成を示すブロック図である。ここでは、ＩＰ放送システムＳは、サービス案内サーバ１と、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ２と、複数の配信サーバ３，３，…，３と、受信端末４とがネットワークＮを介して接続されて構成されている。
【００４１】
このＩＰ放送システムＳは、受信端末４が、複数の配信サーバ３，３，…，３が配信するＩＰ放送を受信するシステムである。また、ＩＰ放送システムＳは、受信端末４の属性、視聴地域等によって、受信端末４において受信可能なＩＰ放送のチャンネル情報を、配信サーバ３の配信状態を示すプレゼンス情報として提供する機能を有している。ここでは、本発明の要部であるプレゼンス情報を提供する機能を実現する構成について主に説明を行うこととする。
【００４２】
サービス案内サーバ（サービス案内提供装置）１は、受信端末４に対して、配信サーバ３のチャンネル情報をプレゼンス情報として提供するものである。ここで、チャンネル情報は、ＩＰ放送を受信するために必要となる情報であって、例えば、ＩＰ放送を配信する配信サーバ３のＩＰアドレス、ポート番号、放送局名等である。
【００４３】
ＤＨＣＰサーバ２は、ネットワークＮに接続される受信端末４等のＩＰ機器に対して、ＩＰアドレス等のネットワークＮ内で必要となる情報を割り当てるものである。なお、ここでは、ＤＨＣＰサーバ２は、ネットワークＮ内で必要な情報として、ＩＰアドレス以外に、ネットワークＮのプロバイダ等の接続網情報、位置情報をＤＨＣＰオプションとして通知することとする。さらに、ＤＨＣＰサーバ２は、サービス案内サーバ１のＩＰアドレス又はドメイン名を、ＤＨＣＰオプションとして受信端末４に通知するものとする。これによって、受信端末４において、サービス案内を提供するサービス案内サーバ１をネットワークＮ内において特定することができる。
【００４４】
配信サーバ（チャンネル情報配信装置）３は、ＩＰ放送のコンテンツを、ネットワークＮを介して配信するものである。なお、配信サーバ３は、ＩＰ放送を提供する放送局内に設置されるもので、地域限定で放送を行うものであってもよいし、広域（例えば、全国的なネットワーク）で放送を行うものであってもよい。
また、ここでは、配信サーバ３は、サービス案内サーバ１からの要求に対して、チャンネル情報を通知するチャンネル情報配信装置としての機能を有している。これによって、チャンネル情報が、サービス案内サーバ１に配信され、サービス案内サーバ１において、各配信サーバ３のチャンネル情報が一括して管理されることになる。
【００４５】
受信端末４は、配信サーバ３から配信されるコンテンツを受信するものである。なお、受信端末４は、ＤＨＣＰクライアント機能を有し、ＤＨＣＰサーバ２から、サービス案内サーバ１のＩＰアドレス又はドメイン名を取得する。
そして、受信端末４は、ネットワークＮに接続された状態においては、ネットワークＮに接続されたサービス案内サーバ１から、サービス案内として、ＩＰ放送を受信するために必要な情報であるチャンネル情報を取得する。なお、受信端末４は、サービス案内サーバ１のＩＰアドレス又はドメイン名をＤＨＣＰサーバ２から取得することとする。また、図１では、受信端末４を１台だけ図示しているが、その台数は複数台であっても構わない。
以下、サービス案内サーバ１及び受信端末４の構成について具体的に説明する。
【００４６】
（サービス案内サーバの構成）
最初に、図２を参照（適宜図１参照）して、サービス案内サーバ（サービス案内提供装置）の構成について説明する。図２は、本発明の第１実施形態に係るサービス案内サーバ（サービス案内提供装置）の構成を示すブロック図である。
【００４７】
図２に示すように、サービス案内サーバ１は、プレゼンス情報通知手段１１と、アドレス記憶手段１２と、アドレス検索手段１３と、プレゼンス情報記憶手段１４と、プレゼンス情報検索手段１５と、プレゼンス情報取得手段１６とを備えている。ここでは、サービス案内サーバ１を、ＳＩＰ（Ｓｅｓｓｉｏｎ  Ｉｎｉｔｉａｔｉｏｎ  Ｐｒｏｔｏｃｏｌ）プレゼンスサーバとして構築している。
【００４８】
プレゼンス情報通知手段１１は、受信端末４からチャンネル情報の配信要求（ＳＵＢＳＣＲＩＢＥリクエスト）を受信し、要求のあった受信端末４に対して、チャンネル情報をプレゼンス情報として通知するものである。このプレゼンス情報通知手段１１は、ＳＩＰにおけるプレゼンス・エージェント（ＰＡ：Ｐｒｅｓｅｎｃｅ  Ａｇｅｎｔ）として機能する。なお、プレゼンス情報通知手段１１は、サービス毎に複数備える構成としてもよいが、ここでは、ＩＰ放送のチャンネル情報をサービス案内として提供する固定の機能を有するものとして、１つのみの構成としている。
【００４９】
また、ここでは、プレゼンス情報通知手段１１は、要求受信手段１１ａと、アドレス検索指示手段１１ｂと、プレゼンス情報検索指示手段１１ｃと、通知送信手段１１ｄとを備えている。なお、プレゼンス情報通知手段１１と受信端末４との情報の送受信は、通信ボード等のネットワークインタフェースを介して行われるが、ここでは、図示を省略する。
【００５０】
要求受信手段１１ａは、受信端末４から、ネットワークＮを介して、チャンネル情報を取得するための要求（ＳＵＢＳＣＲＩＢＥリクエスト）を受信するものである。なお、このＳＵＢＳＣＲＩＢＥリクエストには、チャンネル情報の検索条件となる検索情報が含まれている。また、要求受信手段１１ａは、受信したＳＵＢＳＣＲＩＢＥリクエストをアドレス検索指示手段１１ｂに出力する。
【００５１】
ここで、図３を参照（適宜図１参照）して、受信端末４から要求されるＳＵＢＳＣＲＩＢＥリクエストについて説明する。図３は、ＳＵＢＳＣＲＩＢＥリクエストの内容を示す図である。図３に示すように、ＳＵＢＳＣＲＩＢＥリクエストは、ヘッダ部Ｈと、メッセージボディ部Ｍとで構成される。
【００５２】
ここでは、ヘッダ部Ｈの「Ｔｏ」行において、サービス案内サーバ１（より詳細には、サービス案内サーバ１内のプレゼンス情報通知手段１１）を特定するＵＲＩ（ここでは、ｒｅｓｏｕｒｃｅ＠ｅｘａｍｐｌｅ．ｎｅｔ）を記述している。このＵＲＩは、サービス案内サーバ１が複数のサービスを提供する場合であれば、そのサービスに対応するプレゼンス情報通知手段１１を指定する情報となる。この「Ｔｏ」行に記述されたＵＲＩによって、サービスを特定することが可能になり、サービス案内サーバ１は、当該ＵＲＩを通知されることで、例えば、チャンネル情報をサービス案内として、受信端末４が要求していることを認識することができる。
また、ヘッダ部Ｈの「Ｆｒｏｍ」行において、ＳＵＢＳＣＲＩＢＥリクエストを要求した受信端末４のＵＲＩ（ここでは、ｕｓｅｒ＠ｅｘａｍｐｌｅ．ｎｅｔ）を記述している。
【００５３】
なお、メッセージボディ部Ｍには、受信端末４の位置情報、属性情報等の端末情報をチャンネル情報の検索条件となる検索情報として記述することとする。例えば、端末情報（検索情報）として、受信端末４の現在の位置（例えば、「千代田区」）を、開始タグ＜ｌｏｃａｔｉｏｎ＞と、終了タグ＜／ｌｏｃａｔｉｏｎ＞との間に記述する。また、例えば、受信端末４の属性情報として、画面の表示解像度（例えば、「ＶＧＡ」）を、開始タグ＜ｖｉｄｅｏ＞と、終了タグ＜／ｖｉｄｅｏ＞との間に記述する。
このＳＵＢＳＣＲＩＢＥリクエストによって、サービス案内サーバ１は、受信端末４の端末情報を取得することができ、受信端末４が、どのＩＰ放送のサービスを受信することができるかを判定することが可能になる。
図２に戻って、サービス案内サーバ１の構成について説明を続ける。
【００５４】
アドレス検索指示手段１１ｂは、アドレス検索手段１３に対して、配信サーバ３の検索を指示するものである。ここでは、アドレス検索指示手段１１ｂは、ＳＵＢＳＣＲＩＢＥリクエストに含まれている位置情報、属性情報等の端末情報を、アドレス検索手段１３に通知することでアドレス検索手段１３で検索を実行させ、その検索結果を取得する。なお、検索結果である配信サーバ３のネットワークＮ上のアドレス（プレゼンスＵＲＩ）は、プレゼンス情報検索指示手段１１ｃに出力される。
【００５５】
プレゼンス情報検索指示手段１１ｃは、プレゼンス情報検索手段１５に対して、チャンネル情報の検索を指示するものである。ここでは、プレゼンス情報検索指示手段１１ｃは、アドレス検索指示手段１１ｂが出力したプレゼンスＵＲＩを、プレゼンス情報検索手段１５に通知することでプレゼンス情報検索手段１５で検索を実行させ、その検索結果を取得する。なお、検索結果であるチャンネル情報は、通知送信手段１１ｄに出力される。
【００５６】
通知送信手段１１ｄは、チャンネル情報を要求した受信端末４に対して、チャンネル情報を通知するものである。ここでは、通知送信手段１１ｄは、プレゼンス情報検索指示手段１１ｃから出力されるチャンネル情報を含んだ通知（ＮＯＴＩＦＹリクエスト）を、ネットワークＮを介して、受信端末４に送信する。
【００５７】
アドレス記憶手段１２は、配信サーバ３のネットワークＮ上のアドレス（プレゼンスＵＲＩ）を、位置情報、属性情報等の端末情報に対応付けて記憶しておくものであって、ハードディスク等の一般的な記憶手段である。ここでは、アドレス記憶手段１２に、配信サーバ３のプレゼンスＵＲＩと、位置情報、属性情報等の端末情報とを予め対応付けて記憶しておく。
【００５８】
例えば、ある地域限定でＩＰ放送を配信している配信サーバ３については、その地域を示す位置情報と、配信サーバ３のプレゼンスＵＲＩとを対応付けておく。また、例えば、ある解像度でＩＰ放送を配信している配信サーバ３については、その解像度を示す解像度情報（属性情報）と、配信サーバ３のプレゼンスＵＲＩとを対応付けておく。
なお、配信サーバ３に対応付けておく情報は、位置情報や属性情報に限定されるものではない。例えば、ＩＰ放送として配信可能な網を特定する接続網情報（例えば、回線速度等）であってもよい。
【００５９】
アドレス検索手段１３は、位置情報、属性情報等の端末情報に基づいて、アドレス記憶手段１２に記憶されている配信サーバ３のアドレス（プレゼンスＵＲＩ）を検索するものである。ここでは、アドレス検索手段１３は、アドレス検索指示手段１１ｂから通知される端末情報を検索のパラメータとして、配信サーバ３のプレゼンスＵＲＩを検索する。これによって、要求のあった受信端末４に対してサービス可能な、すなわち、受信端末４が受信可能なＩＰ放送を配信している配信サーバ３のプレゼンスＵＲＩを検索することができる。このアドレス検索手段１３は、プレゼンスＵＲＩを検索結果としてアドレス検索指示手段１１ｂに出力する。
【００６０】
プレゼンス情報記憶手段１４は、配信サーバ３のアドレス（プレゼンスＵＲＩ）毎に、当該配信サーバ３が配信するＩＰ放送のチャンネル情報を記憶しておくものであって、ハードディスク等の一般的な記憶手段である。ここでは、プレゼンス情報記憶手段１４は、配信サーバ３のプレゼンスＵＲＩと、放送局の名称、番組名、ＩＰアドレス、ポート番号等のチャンネル情報とを対応付けて記憶しておく。これらのチャンネル情報は、プレゼンス情報取得手段１６によって配信サーバ３から取得され、プレゼンス情報記憶手段１４に記憶される。
【００６１】
なお、ここでは、アドレス記憶手段１２とプレゼンス情報記憶手段１４とを別構成としているが、同一の記憶手段で構成してもよい。また、プレゼンス情報記憶手段１４は、一時的なバッファとすることとしてもよい。これによって、サービス案内サーバ１は、常に最新のチャンネル情報をサービス案内として受信端末４に提供することができる。
【００６２】
また、ここでは、チャンネル情報は、ＳＩＰで規定されているプレゼンス情報データ形式（ＰＩＤＦ：Ｐｒｅｓｅｎｃｅ  Ｉｎｆｏｒｍａｔｉｏｎ  Ｄａｔａ  Ｆｏｒｍａｔ）で記述されているものとする。このように、チャンネル情報をＰＩＤＦで記述しておくことで、チャンネル情報をＳＩＰのプレゼンス情報として扱うことができる。
【００６３】
ここで、図４を参照して、ＰＩＤＦで記述したチャンネル情報について説明する。図４は、ＰＩＤＦで記述したチャンネル情報の内容を示す図である。図４に示すように、チャンネル情報を、チャンネル情報の種別を示す予め定めたタグによって定義し、テキストデータで記述しておく。例えば、開始タグ＜ｒｅｓｏｕｒｃｅ＿ｌｏｃａｔｉｏｎ＞と終了タグ＜／ｒｅｓｏｕｒｃｅ＿ｌｏｃａｔｉｏｎ＞との間に、「ＩＰアドレス、ポート番号、ＵＲＬ」を記述しておくことで、当該チャンネル情報を有する配信サーバ３からＩＰ放送を受信する場合、受信端末４は、チャンネル情報で示されるＩＰアドレス等から、ＩＰ放送のパケットデータを取得することを認識することができる。
なお、図４では、チャンネル情報の一例として、「ＩＰアドレス、ポート番号、ＵＲＬ」以外に、「放送局の名称」、「放送局のネットワークの名称」、「放送サービスの種類」、「番組名」、「番組内容」、「ＩＰ放送の種別」を記述している。
図２に戻って、サービス案内サーバ１の構成について説明を続ける。
【００６４】
プレゼンス情報検索手段１５は、配信サーバ３のアドレス（プレゼンスＵＲＩ）に基づいて、プレゼンス情報記憶手段１４に記憶されているチャンネル情報を検索するものである。ここでは、プレゼンス情報検索手段１５は、プレゼンス情報検索指示手段１１ｃから通知されるプレゼンスＵＲＩを検索のパラメータとして、チャンネル情報を検索する。このプレゼンス情報検索手段１５は、チャンネル情報を検索結果としてプレゼンス情報通知手段１１のプレゼンス情報検索指示手段１１ｃに出力する。
【００６５】
また、プレゼンス情報検索手段１５は、プレゼンス情報記憶手段１４に、プレゼンスＵＲＩに対応するチャンネル情報が記憶されていない場合、プレゼンス情報取得手段１６に対して、当該プレゼンスＵＲＩを通知し、チャンネル情報の取得を指示する。その後、プレゼンス情報取得手段１６からチャンネル情報を取得した旨の通知を受けた段階で、プレゼンス情報検索手段１５は、再度、プレゼンス情報記憶手段１４に記憶されているチャンネル情報を検索し、チャンネル情報を検索結果としてプレゼンス情報検索指示手段１１ｃに出力する。なお、プレゼンス情報検索手段１５は、プレゼンス情報記憶手段１４を介さず、プレゼンス情報取得手段１６からチャンネル情報を直接取得することとしてもよい。
【００６６】
プレゼンス情報取得手段１６は、配信サーバ３から、ネットワークＮを介して、チャンネル情報をＳＩＰのプレゼンス情報として取得するものである。このプレゼンス情報取得手段１６は、ＳＩＰにおけるプレゼンス・ユーザ・エージェント（ＰＵＡ：Ｐｒｅｓｅｎｃｅ  Ｕｓｅｒ  Ａｇｅｎｔ）として機能する。ここでは、プレゼンス情報取得手段１６は、要求送信手段１６ａと、通知受信手段１６ｂとを備えている。なお、プレゼンス情報取得手段１６と配信サーバ３との情報の送受信は、通信ボード等のネットワークインタフェースを介して行われるが、ここでは、図示を省略する。
【００６７】
要求送信手段１６ａは、プレゼンス情報検索手段１５から通知されるプレゼンスＵＲＩで特定される配信サーバ３に対して、ネットワークＮを介して、チャンネル情報を取得するための要求（ＳＵＢＳＣＲＩＢＥリクエスト）を送信するものである。
なお、この要求（ＳＵＢＳＣＲＩＢＥリクエスト）に対して、配信サーバ３は、配信サーバ３内部のＰＡ（プレゼンス・エージェント）３ａによって、チャンネル情報を含んだ通知（ＮＯＴＩＦＹリクエスト）をサービス案内サーバ１に送信する。
【００６８】
通知受信手段１６ｂは、要求送信手段１６ａがチャンネル情報を要求した配信サーバ３から、ネットワークＮを介して、チャンネル情報を受信するものである。ここでは、通知受信手段１６ｂは、配信サーバ３から送信されるチャンネル情報を含んだ通知（ＮＯＴＩＦＹリクエスト）を受信し、受信したチャンネル情報を、配信サーバ３のプレゼンスＵＲＩと対応付けてプレゼンス情報記憶手段１４に記憶する。また、通知受信手段１６ｂは、チャンネル情報を受信した旨をプレゼンス情報検索手段１５に通知する。
なお、通知受信手段１６ｂは、受信したチャンネル情報を、直接プレゼンス情報検索手段１５に通知することとしてもよい。
【００６９】
このようにサービス案内サーバ１を構成することで、サービス案内サーバ１は、受信端末４の位置情報等の端末情報に基づいて、当該受信端末４に対してＩＰ放送を配信しているチャンネルの情報（プレゼンス情報）を、受信端末４にサービス案内として通知することができる。
【００７０】
なお、サービス案内サーバ１は、一般的なコンピュータを、前記した各手段として機能させるプログラムにより動作させることで実現することができる。このプログラム（サービス案内提供プログラム）は、通信回線を介して配布することも可能であるし、ＣＤ−ＲＯＭ等の記録媒体に書き込んで配布することも可能である。
【００７１】
（受信端末の構成）
次に、図５を参照（適宜図１参照）して、受信端末の構成について説明する。図５は、受信端末の構成を示すブロック図である。
図５に示すように、受信端末４は、ネットワーク情報取得手段４１と、プレゼンス情報取得手段４２と、属性情報管理手段４３と、接続網管理手段４４と、と、位置情報管理手段４５と、端末情報記憶手段４６と、サービス案内表示手段４７とを備えている。また、ここでは、受信端末４を、ＳＩＰ（Ｓｅｓｓｉｏｎ  Ｉｎｉｔｉａｔｉｏｎ  Ｐｒｏｔｏｃｏｌ）プレゼンスのクライアントとして構築している。
【００７２】
ネットワーク情報取得手段４１は、ＤＨＣＰサーバ２から、ネットワーク情報を取得するものであって、ＤＨＣＰクライアントとして機能するものである。ここでは、ネットワーク情報取得手段４１は、図示を省略したネットワークインタフェースを介して、ＤＨＣＰサーバ２から、受信端末４に付与されるＩＰアドレスや、サービス案内サーバ１のＩＰアドレスを取得する。これらのＩＰアドレスは、プレゼンス情報取得手段４２で使用される。なお、ネットワーク情報取得手段４１は、ＤＨＣＰサーバ２から、位置情報や、接続網情報を取得することとしてもよい。
【００７３】
プレゼンス情報取得手段４２は、サービス案内サーバ１に対して、ＩＰ放送のチャンネル情報（プレゼンス情報）の配信要求を送信し、サービス案内サーバ１からチャンネル情報を取得するものである。このプレゼンス情報取得手段４２は、サービス案内表示手段４７から起動させるもので、ＳＩＰにおけるプレゼンス・ユーザ・エージェント（ＰＵＡ：Ｐｒｅｓｅｎｃｅ  Ｕｓｅｒ  Ａｇｅｎｔ）として機能する。ここでは、プレゼンス情報取得手段４２は、要求送信手段４２ａと、通知受信手段４２ｂとを備えている。なお、プレゼンス情報取得手段４２とサービス案内サーバ１との情報の送受信は、通信ボード等のネットワークインタフェースを介して行われるが、ここでは、図示を省略する。
【００７４】
要求送信手段４２ａは、チャンネル情報を取得するための要求（ＳＵＢＳＣＲＩＢＥリクエスト）を生成し、ネットワークＮを介して、サービス案内サーバ１にその要求を送信するものである。この要求送信手段４２ａが生成し、送信するＳＵＢＳＣＲＩＢＥリクエストは、図３で説明したものである。
【００７５】
ここで、要求送信手段４２ａは、ＳＵＢＳＣＲＩＢＥリクエストに、受信端末４の属性情報、接続網情報、位置情報等の端末情報を記述しておく。なお、要求送信手段４２ａは、属性情報を属性情報管理手段４３から取得し、接続網情報を接続網管理手段４４から取得し、位置情報を位置情報管理手段４５から取得することとする。
そして、要求送信手段４２ａは、ネットワーク情報取得手段４１で取得したサービス案内サーバ１のＩＰアドレスに対して、ＳＵＢＳＣＲＩＢＥリクエストを送信する。
【００７６】
通知受信手段４２ｂは、要求送信手段４２ａがチャンネル情報を要求したサービス案内サーバ１から、ネットワークＮを介して、チャンネル情報を受信するものである。ここでは、通知受信手段４２ｂは、サービス案内サーバ１から送信されるチャンネル情報を含んだ通知（ＮＯＴＩＦＹリクエスト）を受信し、受信したチャンネル情報を、サービス案内表示手段４７に通知する。
【００７７】
属性情報管理手段４３は、受信端末４の属性情報を管理するものである。この属性情報は、受信端末４のデータ通信速度や、図示を省略した表示手段の解像度等であって、受信端末４がＩＰ放送を受信するための制限となる情報である。ここでは、属性情報管理手段４３は、端末情報記憶手段４６に対して、属性情報の書き込みや読み出しの制御を行う。また、属性情報管理手段４３は、プレゼンス情報取得手段４２から属性情報の要求があった場合に、属性情報を端末情報記憶手段４６から読み出して、プレゼンス情報取得手段４２に通知する。なお、属性情報は、予め端末情報記憶手段４６に記憶しておくこととしてもよいし、ユーザが図示を省略した入力手段を介して入力することとしてもよい。
【００７８】
接続網管理手段４４は、受信端末４が接続されている接続網情報を管理するものである。この接続網情報は、受信端末４が接続している網（ネットワークＮ）のプロバイダや自治体といった事業主、提供者、運用者等を示す情報である。ここでは、接続網管理手段４４は、端末情報記憶手段４６に対して、接続網情報の書き込みや読み出しの制御を行う。また、接続網管理手段４４は、プレゼンス情報取得手段４２から接続網情報の要求があった場合に、接続網情報を端末情報記憶手段４６から読み出して、プレゼンス情報取得手段４２に通知する。
【００７９】
位置情報管理手段４５は、受信端末４の位置情報を管理するものである。この位置情報は、受信端末４が位置している地域、場所を示す情報である。ここでは、位置情報管理手段４５は、端末情報記憶手段４６に対して、位置情報の書き込みや読み出しの制御を行う。また、位置情報管理手段４５は、プレゼンス情報取得手段４２から位置情報の要求があった場合に、位置情報を端末情報記憶手段４６から読み出して、プレゼンス情報取得手段４２に通知する。
【００８０】
なお、接続網管理手段４４が管理する接続網情報や、位置情報管理手段４５が管理する位置情報は、図示を省略した外部のルータから広告される「ルータ広告（Ｒｏｕｔｅｒ  Ａｄｖｅｒｔｉｓｅｍｅｎｔ）」により取得することとしてもよいし、ＤＨＣＰサーバ２、図示を省略したディレクトリサーバ等から取得することとしてもよい。もちろん、接続網情報や位置情報は、ユーザが図示を省略した入力手段を介して入力することとしてもよい。
【００８１】
端末情報記憶手段４６は、受信端末４の属性情報、接続網情報、位置情報等の端末情報を記憶するものであって、半導体メモリ等の一般的な記憶手段である。また、端末情報記憶手段４６には、ネットワーク情報取得手段４１が取得した受信端末４のＩＰアドレスや、サービス案内サーバ１のＩＰアドレス等を記憶することとする。
【００８２】
サービス案内表示手段４７は、ＩＰ放送を受信するために必要な情報であるチャンネル情報を、図示を省略した液晶モニタ等の表示手段に、サービス案内として表示するものである。このサービス案内表示手段４７は、プレゼンス情報取得手段４２を起動し、プレゼンス情報取得手段４２から、チャンネル情報を取得する。
なお、サービス案内表示手段４７は、１つのアプリケーションとして機能し、ユーザから、図示を省略した表示手段の画面上で「ＩＰ放送のサービス案内」等のメニューを選択されることで起動する。
【００８３】
このように受信端末４を構成することで、受信端末４は、ネットワークＮにおいて、ＩＰ放送を受信可能なチャンネル情報をサービス案内として、ユーザに提示することができる。また、これによって、受信端末４は、図６に示すように、地域によって異なるＩＰ放送サービスが提供されている場合、地域ＡのネットワークＮから、地域Ｂのネットワークに移動しても、サービス案内サーバ１に問い合わせるだけで、地域Ｂで視聴可能なＩＰ放送のサービスをユーザに提示することができる。
【００８４】
［ＩＰ放送システムの動作：第１実施形態］
次に、図７を参照（構成については、適宜図１、図２及び図５参照）して、第１実施形態に係るＩＰ放送システムの動作について説明する。図７は、本発明の第１実施形態に係るＩＰ放送システムの概略動作を示すシーケンス図である。
【００８５】
まず、受信端末４は、ネットワークＮに接続されると（ステップＳ１１）、ネットワーク情報取得手段４１によって、ＤＨＣＰサーバ２から、受信端末４に付与されるアドレス（ＩＰアドレス）を取得する（ステップＳ１２）。なお、受信端末４のＩＰアドレスは、端末情報記憶手段４６に記憶される。
さらに、受信端末４は、ネットワーク情報取得手段４１によって、ＤＨＣＰサーバ２から、サービス案内サーバ１のアドレス（ＩＰアドレス）、位置情報、接続網情報を取得する（ステップＳ１３）。なお、サービス案内サーバ１のＩＰアドレス、位置情報、接続網情報は、端末情報記憶手段４６に記憶される。
【００８６】
そして、受信端末４は、プレゼンス情報取得手段４２の要求送信手段４２ａによって、チャンネル情報を取得するための要求（ＳＵＢＳＣＲＩＢＥリクエスト）を生成し、ネットワークＮを介して、サービス案内サーバ１に、その要求を送信する（ステップＳ１４）。なお、このＳＵＢＳＣＲＩＢＥリクエストには、ステップＳ１３で取得して端末情報記憶手段４６に記憶されている位置情報、接続網情報、あるいは、予め端末情報記憶手段４６に記憶されている属性情報等が記述される。
【００８７】
そして、サービス案内サーバ１は、プレゼンス情報通知手段１１によって、受信端末４から送信されたＳＵＢＳＣＲＩＢＥリクエストを受信した後、アドレス検索手段１３によって、端末属性に基づいてアドレス記憶手段１２に記憶されている配信サーバ３のアドレス（プレゼンスＵＲＩ）を検索する（ステップＳ１５）。
そして、サービス案内サーバ１は、プレゼンス情報取得手段１６によって、チャンネル情報を取得するための要求（ＳＵＢＳＣＲＩＢＥリクエスト）を生成し、ネットワークＮを介して、ステップＳ１５で検索した配信サーバ３（ここでは、３１，３２，３３）に対して、その要求を送信する（ステップＳ１６）。
【００８８】
その後、サービス案内サーバ１は、プレゼンス情報取得手段１６によって、配信サーバ３（３１，３２，３３）から、チャンネル情報を含んだ通知（ＮＯＴＩＦＹリクエスト）を受信する（ステップＳ１７）。
そして、サービス案内サーバ１は、プレゼンス情報通知手段１１によって、受信端末４に対するチャンネル情報を含んだ通知（ＮＯＴＩＦＹリクエスト）を生成し、ネットワークＮを介して、受信端末４にその通知を送信する（ステップＳ１８）。
【００８９】
そして、受信端末４は、プレゼンス情報取得手段４２の通知受信手段４２ｂによって、サービス案内サーバ１から送信されたチャンネル情報を含んだＮＯＴＩＦＹリクエスト受信した後、サービス案内表示手段４７によって、チャンネル情報を、図示を省略した表示手段に、サービス案内として表示する（ステップＳ１９）。
【００９０】
以上の動作によって、受信端末４は、個々の配信サーバ３のアドレスを意識することなく、サービス案内サーバ１に対して、チャンネル情報を提供するサービスを特定するリクエスト、すなわち、図３に記述したＳＵＢＳＣＲＩＢＥリクエストにおいて、ヘッダ部Ｈの「Ｔｏ」行においてチャンネル情報を提供するサービスを特定するＵＲＩを記述したリクエストを送信するだけで、視聴可能なＩＰ放送のチャンネル情報を取得することができる。
【００９１】
（サービス案内サーバの動作）
ここで、サービス案内サーバ１の動作（図７のステップＳ１５〜Ｓ１８）について、さらに、図８を参照して詳細に説明する。図８は、本発明の第１実施形態に係るサービス案内サーバの動作を示すフローチャートである。
【００９２】
サービス案内サーバ１は、プレゼンス情報通知手段１１の要求受信手段１１ａによって、受信端末４から送信されたチャンネル情報の要求（ＳＵＢＳＣＲＩＢＥリクエスト）を受信する（ステップＳ１００）。
そして、サービス案内サーバ１は、アドレス検索指示手段１１ｂによって、アドレス検索手段１３に対して、ＳＵＢＳＣＲＩＢＥリクエストに記述されている端末情報を通知し、配信サーバ３のプレゼンスＵＲＩの検索を指示する。
【００９３】
そして、サービス案内サーバ１は、アドレス検索手段１３によって、端末情報に基づいて、アドレス記憶手段１２に記憶されている配信サーバ３のアドレス（プレゼンスＵＲＩ）を検索する（ステップＳ１０１）。
その後、サービス案内サーバ１は、アドレス検索指示手段１１ｂがステップＳ１０１で検索された配信サーバ３のプレゼンスＵＲＩを、プレゼンス情報検索指示手段１１ｃに通知する。また、プレゼンス情報検索指示手段１１ｃが、プレゼンス情報検索手段１５に対して、プレゼンスＵＲＩを通知し、チャンネル情報（プレゼンス情報）の検索を指示する。
【００９４】
そして、サービス案内サーバ１は、プレゼンス情報検索手段１５によって、配信サーバ３のアドレス（プレゼンスＵＲＩ）に基づいて、プレゼンス情報記憶手段１４に記憶されているチャンネル情報を検索する（ステップＳ１０２）。
ここで、プレゼンス情報検索手段１５は、プレゼンスＵＲＩに対応するチャンネル情報が存在するか否かを判定し（ステップＳ１０３）、プレゼンスＵＲＩに対応するチャンネル情報が存在する場合（ステップＳ１０３でＹｅｓ）、ステップＳ１０７に動作を進める。
【００９５】
一方、プレゼンスＵＲＩに対応するチャンネル情報が存在しない場合（ステップＳ１０３でＮｏ）、プレゼンス情報検索手段１５は、プレゼンス情報取得手段１６に対して、当該プレゼンスＵＲＩを通知し、チャンネル情報の取得を指示する。
そして、サービス案内サーバ１は、プレゼンス情報取得手段１６の要求送信手段１６ａによって、プレゼンスＵＲＩで特定される配信サーバ３に対して、ネットワークＮを介して、チャンネル情報を取得するための要求（ＳＵＢＳＣＲＩＢＥリクエスト）を送信する（ステップＳ１０４）。
【００９６】
その後、サービス案内サーバ１は、プレゼンス情報取得手段１６の通知受信手段１６ｂによって、チャンネル情報を要求した配信サーバ３から、ネットワークＮを介して、チャンネル情報を取得し（ステップＳ１０５）、プレゼンス情報記憶手段１４に記憶する（ステップＳ１０６）。そして、サービス案内サーバ１は、ステップＳ１０２に戻って、プレゼンス情報検索手段１５によって、チャンネル情報を再検索する。
そして、チャンネル情報が取得された段階で、サービス案内サーバ１は、通知送信手段１１ｄによって、チャンネル情報を要求した受信端末４に対して、チャンネル情報を通知（送信）する（ステップＳ１０７）。
以上の動作によって、サービス案内サーバ１は、配信サーバ３のチャンネル情報を一括してサービス案内として提供することができる。
【００９７】
［ＩＰ放送システムの構成：第２実施形態］
次に、図９を参照して、第２実施形態に係るＩＰ放送システムの構成について説明する。図９は、本発明の第２実施形態に係るＩＰ放送システムの構成を示すブロック図である。ここでは、ＩＰ放送システムＳＢは、サービス案内サーバ１Ｂと、ＤＨＣＰサーバ２と、配信サーバ３と、配信サーバ３ＢとがネットワークＮを介して接続されて構成されている。
サービス案内サーバ１Ｂ及び配信サーバ３Ｂ以外の構成については、図１で説明した構成と同一のものであるため、同一の符号を付して説明を省略する。
【００９８】
サービス案内サーバ（サービス案内提供装置）１Ｂは、受信端末４に対して、ＩＰ放送のチャンネル情報をプレゼンス情報として提供するものである。なお、サービス案内サーバ１Ｂは、図２で説明したサービス案内サーバ１に対して、マルチキャスト情報をチャンネル情報（プレゼンス情報）として、受信端末４に対して、さらに提供する点が異なっている。ここで、マルチキャスト情報は、マルチキャストで配信されるＩＰ放送のパケットを受信するためのマルチキャストアドレス、ポート番号等を示すＳＤＰ（Ｓｅｓｓｉｏｎ  Ｄｅｓｃｒｉｐｔｉｏｎ  Ｐｒｏｔｏｃｏｌ）で規定されている情報（広告情報）である。
【００９９】
一般に、マルチキャストで配信される広告情報は、配信サーバから、予め設定された配信間隔で配信されるため、受信端末４は、任意のタイミングでネットワークＮに接続された場合、最大でその配信間隔の時間が経過しなければ、広告情報を取得することができない。そこで、サービス案内サーバ１Ｂは、受信端末４に対して、マルチキャスト情報を配信間隔の遅延時間を待つことなく、チャンネル情報（プレゼンス情報）を提供する。
【０１００】
配信サーバ３Ｂは、ＩＰ放送のコンテンツを、ネットワークＮを介して配信するものである。なお、配信サーバ３Ｂは、図１で説明した配信サーバ３に対して、さらに、マルチキャスト情報を配信する点が異なっている。
以下、サービス案内サーバ１Ｂについて具体的に説明する。
【０１０１】
（サービス案内サーバの構成）
まず、図１０を参照（適宜図９参照）して、サービス案内サーバ（サービス案内提供装置）の構成について説明する。図１０は、第２実施形態に係るサービス案内サーバ（サービス案内提供装置）の構成を示すブロック図である。
【０１０２】
図１０に示すように、サービス案内サーバ１Ｂは、プレゼンス情報通知手段１１と、アドレス記憶手段１２と、アドレス検索手段１３と、プレゼンス情報記憶手段１４と、プレゼンス情報検索手段１５と、プレゼンス情報取得手段１６と、マルチキャスト情報受信手段１７と、変換テーブル記憶手段１８と、情報変換手段１９とを備えている。
マルチキャスト情報受信手段１７、変換テーブル記憶手段１８及び情報変換手段１９以外の構成については、図２で説明したサービス案内サーバ１と同一の構成であるため、同一の符号を付し、説明を省略する。
【０１０３】
マルチキャスト情報受信手段１７は、ネットワークＮを介して、マルチキャスト情報（広告情報）を受信するものである。ここでは、マルチキャスト情報受信手段１７は、配信サーバ３Ｂのマルチキャスト情報送信手段３ｂから、予め設定された配信間隔で配信されるマルチキャスト情報を逐次受信する。この受信したマルチキャスト情報は、情報変換手段１９に出力される。なお、配信サーバ３Ｂのマルチキャスト情報送信手段３ｂは、マルチキャスト情報（広告情報）を所定の時間間隔でマルチキャスト配信するものである。
【０１０４】
変換テーブル記憶手段１８は、マルチキャスト情報をチャンネル情報のデータフォーマットにフォーマット変換するための変換テーブルを記憶しておくものであって、ハードディスク等の一般的な記憶手段である。通常、マルチキャスト情報は、セッション記述プロトコル（ＳＤＰ）に基づいて記述されている。一方、チャンネル情報は、プレゼンス情報として使用するため、ＳＩＰで規定されているプレゼンス情報データ形式（ＰＩＤＦ）で記述されている。そこで、変換テーブル記憶手段１８には、ＳＤＰで記述されたマルチキャスト情報を、ＰＩＤＦに変換するための変換テーブルを記憶しておく。
【０１０５】
ここで、図１１を参照して、変換テーブルの例について説明する。図１１は、ＳＤＰ／ＰＩＤＦの変換テーブルの一例を示す図である。
図１１に示すように、変換テーブルは、ＳＤＰのパラメータと、ＰＩＤＦのタグとを対応付けている。ここでは、ＳＤＰのパラメータ「ｏ（セッションオーナーとセッションＩＤ）」とＰＩＤＦのタグ「ｓｅｒｖｉｃｅ＿ｎａｍｅ／ＴＶ＿ｎｅｔｗｏｒｋ＿ｎａｍｅ」とを対応付けている。また、ＳＤＰのパラメータ「ｓ（セッション名）」とＰＩＤＦのタグ「ｃｏｎｔｅｎｔ＿ｎａｍｅ」とを対応付けている。また、ＳＤＰのパラメータ「ｃ（コネクション情報）」とＰＩＤＦのタグ「ｒｅｓｏｕｒｃｅ＿ｌｏｃａｔｉｏｎ」とを対応付けている。また、ＳＤＰのパラメータ「ｔ（セッション有効時間）」とＰＩＤＦのタグ「ｃｏｎｔｅｎｔ＿ｔｉｍｅ」とを対応付けている。また、ＳＤＰのパラメータ「ｍ（メディア情報）」とＰＩＤＦのタグ「ｓｅｒｖｉｃｅ＿ｔｙｐｅ」とを対応付けている。
これによって、ＳＤＰのパラメータとＰＩＤＦのタグとが対応付けられることになる。
図１０に戻って、サービス案内サーバ１Ｂの構成について説明を続ける。
【０１０６】
情報変換手段１９は、マルチキャスト情報受信手段１７で受信されたＳＤＰで記述されたマルチキャスト情報を、ＰＩＤＦのチャンネル情報に変換し、プレゼンス情報記憶手段１４に記憶するものである。この情報変換手段１９は、変換テーブル記憶手段１８に記憶されている変換テーブルを参照し、ＳＤＰのパラメータに続くテキストデータを、ＰＩＤＦのタグで記述することで、ＳＤＰで記述されたマルチキャスト情報をＰＩＤＦのチャンネル情報（プレゼンス情報）に変換する。
【０１０７】
例えば、図１１に示した変換テーブルの場合、情報変換手段１９は、ＳＤＰのパラメータ「ｍ」に続くテキストデータを、ＰＩＤＦのタグ＜ｓｅｒｖｅｃｅ＿ｔｙｐｅ＞及び＜／ｓｅｒｖｉｃｅ＿ｔｙｐｅ＞の間に記述することで、マルチキャスト情報をＰＩＤＦに変換する。
【０１０８】
このようにサービス案内サーバ１Ｂを構成することで、サービス案内サーバ１Ｂは、受信端末４の位置情報等の端末情報に基づいて、当該受信端末４に対してＩＰ放送を配信しているチャンネル情報（プレゼンス情報）を、受信端末４にサービス案内として通知することができる。さらに、サービス案内サーバ１Ｂは、マルチキャスト情報をプレゼンス情報として記憶することができるため、受信端末４からの問い合わせのタイミングで、マルチキャスト情報を提供することができる。
【０１０９】
［ＩＰ放送システムの動作：第２実施形態］
次に、図１２を参照して、第２実施形態に係るＩＰ放送システムの動作について説明する。図１２は、本発明の第２実施形態に係るＩＰ放送システムの概略動作を示すシーケンス図である。
【０１１０】
まず、サービス案内サーバ１Ｂは、マルチキャスト情報受信手段１７によって、配信サーバ３Ｂから、所定時間間隔で配信されるマルチキャスト情報（広告情報）を受信する（ステップＳ２１）。
そして、サービス案内サーバ１Ｂは、情報変換手段１９によって、ステップＳ２１で受信したＳＤＰで記述されたマルチキャスト情報を、ＰＩＤＦのチャンネル情報に変換して、プレゼンス情報記憶手段１４に記憶する（ステップＳ２２）。
【０１１１】
なお、その後のステップＳ１１以降の動作については、図７で説明した動作と同様であるため、説明を省略する。ただし、ステップＳ１８において通知されるチャンネル情報を含んだ通知（ＮＯＴＩＦＹリクエスト）には、マルチキャスト情報が変換されたチャンネル情報が付加されて通知されることになる。
このように、受信端末４は、サービス案内サーバ１Ｂにサービス案内の問い合わせを行ったタイミングで、チャンネル情報（マルチキャスト情報を含む）をサービス案内として取得することができる。
【０１１２】
以上、ＩＰ放送システムの構成及び動作について、第１実施形態及び第２実施形態を例として説明したが、本発明はこれに限定されるものではない。例えば、図２で説明したサービス案内サーバ１において、ＩＰ放送のサービスを提供する配信サーバ３のチャンネル情報が予めプレゼンス情報記憶手段１４にすべて記憶されている場合、プレゼンス情報取得手段１６を構成から省略し、図１３に示すようなサービス案内サーバ１Ｃの構成（第３実施形態）としてもよい。
【０１１３】
また、ここでは、サービス案内サーバ１、１Ｂ、１Ｃを、ＩＰ放送のチャンネル情報をＳＩＰプレゼンスサーバのプレゼンス情報として提供するサーバとして説明したが、サービス案内サーバ１、１Ｂ、１Ｃが扱うプレゼンス情報は、ＩＰ放送のチャンネル情報に限定されるものではなく、ＩＰ通信装置（ＩＰ電話等）が提供可能な情報をプレゼンス情報としてもよい。
【０１１４】
この場合、アドレス記憶手段１２には、ＩＰ通信装置のプレゼンスＵＲＩと、提供可能な情報を検索するための検索条件を記憶しておく。例えば、サービス案内サーバ１等が、受信端末４の属性情報を検索条件として、受信端末４が操作可能なネットワーク上でゲームを提供するサーバ（配信サーバ）の状態（サーバが過負荷状態等）をプレゼンス情報として提供することとしてもよい。また、例えば、サービス案内サーバ１等が、受信端末４の位置情報を検索条件として、レストランが提供する配信サーバから、レストランの混雑状態をプレゼンス情報として提供することとしてもよい。
【０１１５】
このように本発明のサービス案内サーバによれば、受信端末は、ネットワークに接続されたＩＰ通信装置の状態を、個々のＩＰ通信装置に問い合わせを行わなくても、検索条件（位置情報、属性情報等）を含んだ問い合わせを、サービス案内サーバに送信するだけで、所望のサービス情報を取得することができる。
【図面の簡単な説明】
【０１１６】
【図１】本発明の第１実施形態に係るＩＰ放送システムの構成を示すブロック図である。
【図２】本発明の第１実施形態に係るサービス案内サーバ（サービス案内提供装置）の構成を示すブロック図である。
【図３】ＳＵＢＳＣＲＩＢＥリクエストの内容を示す図である。
【図４】ＰＩＤＦで記述したチャンネル情報の内容を示す図である。
【図５】受信端末の構成を示すブロック図である。
【図６】受信端末を移動させた場合のＩＰ放送サービスの利用形態を示す概念図である。
【図７】本発明の第１実施形態に係るＩＰ放送システムの概略動作を示すシーケンス図である。
【図８】本発明の第１実施形態に係るサービス案内サーバの動作を示すフローチャートである。
【図９】本発明の第２実施形態に係るＩＰ放送システムの構成を示すブロック図である。
【図１０】第２実施形態に係るサービス案内サーバ（サービス案内提供装置）の構成を示すブロック図である。
【図１１】ＳＤＰ／ＰＩＤＦの変換テーブルの一例を示す図である。
【図１２】本発明の第２実施形態に係るＩＰ放送システムの概略動作を示すシーケンス図である。
【図１３】本発明の第３実施形態に係るサービス案内サーバ（サービス案内提供装置）の構成を示すブロック図である。
【符号の説明】
【０１１７】
Ｓ      ＩＰ放送システム
１、１Ｂ、１Ｃ  サービス案内サーバ（サービス案内提供装置）
１１    プレゼンス情報通知手段
１１ａ  要求受信手段
１１ｂ  アドレス検索指示手段
１１ｃ  プレゼンス情報検索指示手段
１１ｄ  通知送信手段
１２    アドレス記憶手段
１３    アドレス検索手段
１４    プレゼンス情報記憶手段
１５    プレゼンス情報検索手段
１６    プレゼンス情報取得手段
１６ａ  要求送信手段
１６ｂ  通知受信手段
１７    マルチキャスト情報受信手段
１８    変換テーブル記憶手段
１９    情報変換手段
２      ＤＨＣＰサーバ
３、３Ｂ  配信サーバ（チャンネル情報配信装置、ＩＰ通信装置）
４      受信端末
４１    ネットワーク情報取得手段
４２    プレゼンス情報取得手段
４２ａ  要求送信手段
４２ｂ  通知受信手段
４３    属性情報管理手段
４４    接続網管理手段
４５    位置情報管理手段
４６    端末情報記憶手段
４７    サービス案内表示手段
【図１】
2008252853.tif 000003
【図２】
2008252853.tif 000004
【図３】
2008252853.tif 000005
【図４】
2008252853.tif 000006
【図５】
2008252853.tif 000007
【図６】
2008252853.tif 000008
【図７】
2008252853.tif 000009
【図８】
2008252853.tif 000010
【図９】
2008252853.tif 000011
【図１０】
2008252853.tif 000012
【図１１】
2008252853.tif 000013
【図１２】
2008252853.tif 000014
【図１３】
2008252853.tif 000015